(57)【要約】      （修正有）【課題】ユーザが実際にコンテンツを見たかどうかを判断してインセンティブを与えることのできるシステムを提供する。【解決手段】端末装置２の画像取得手段２０は、撮像部によって撮像された画像を対象画像として取り込む。参照ＩＤ抽出手段２４は、当該対象画像に電子透かしとして埋め込まれている参照ＩＤを抽出する。説明データ送信手段４２は、参照ＩＤを受けて、説明データ４８を返信する。画像送信手段２２は、情報共有サーバ装置６に、撮像した対象画像を送信する。通知手段２８は、対象画像６０を送信したことを、管理サーバ装置４に通知する。確認手段４４は、情報共有サーバ装置６から対象画像６０を取得し、埋め込まれている電子透かしとしての参照ＩＤを抽出し、説明データ送信手段４２が受信した参照ＩＤと合致するかどうかを確認する。インセンティブ実行手段４６は、上記参照ＩＤが合致すると確認された場合に、インセンティブ付与を実行する。【選択図】図１
2015069492.tif 000002
【特許請求の範囲】
【請求項１】
端末装置と管理サーバ装置を備えたインセンティブシステムであって、
前記端末装置は、
撮像部によって撮像され、参照ＩＤが電子透かしとして埋め込まれた対象画像を取得する画像取得手段と、
前記対象画像を、他人がアクセス可能なように記録するために情報共有サーバ装置に送信する画像送信手段と、
前記対象画像を情報共有サーバ装置に送信したことを管理サーバ装置に通知する通知手段と、
を備えており、
前記管理サーバ装置は、
前記通知手段からの通知を受けて、情報共有サーバ装置に記録された前記対象画像を取得して、参照ＩＤを抽出し、確認を行う確認手段と、
前記情報共有サーバ装置に対象画像を記録したことの確認が確認手段によって行われると、前記端末装置に関連づけられたユーザに対するインセンティブ付与処理を実行するインセンティブ実行手段と、
を備えていることを特徴とするインセンティブシステム。
【請求項２】
撮像部によって撮像され、参照ＩＤが電子透かしとして埋め込まれた対象画像を、他人がアクセス可能なように記録するために情報共有サーバ装置に送信したことの通知を端末装置から受けて、情報共有サーバ装置に記録された前記対象画像を取得して、参照ＩＤを抽出し、確認を行う確認手段と、
前記情報共有サーバ装置に対象画像を記録したことの確認が確認手段によって行われると、前記端末装置に関連づけられたユーザに対するインセンティブ付与処理を実行するインセンティブ実行手段と、
を備えた管理サーバ装置。
【請求項３】
コンピュータによって管理サーバ装置を実現するための管理サーバプログラムであって、前記コンピュータを、
撮像部によって撮像され、参照ＩＤが電子透かしとして埋め込まれた対象画像を、他人がアクセス可能なように記録するために情報共有サーバ装置に送信したことの通知を端末装置から受けて、情報共有サーバ装置に記録された前記対象画像を取得して、参照ＩＤを抽出し、確認を行う確認手段と、
前記情報共有サーバ装置に対象画像を記録したことの確認が確認手段によって行われると、前記端末装置に関連づけられたユーザに対するインセンティブ付与処理を実行するインセンティブ実行手段として機能させるための管理サーバプログラム。
【請求項４】
撮像部によって撮像され、参照ＩＤが電子透かしとして埋め込まれた対象画像を取得する画像取得手段と、
前記対象画像を、他人がアクセス可能なように記録するために情報共有サーバ装置に送信する画像送信手段と、
前記対象画像を情報共有サーバ装置に送信したことを管理サーバ装置に通知する通知手段と、
を備えた端末装置。
【請求項５】
コンピュータによって端末装置を実現するための端末プログラムであって、前記コンピュータを、
撮像部によって撮像され、参照ＩＤが電子透かしとして埋め込まれた対象画像を取得する画像取得手段と、
前記対象画像を、他人がアクセス可能なように記録するために情報共有サーバ装置に送信する画像送信手段と、
前記対象画像を情報共有サーバ装置に送信したことを管理サーバ装置に通知する通知手段として機能させるための端末プログラム。
【請求項６】
請求項１から５のいずれかのシステム、装置またはプログラムにおいて、
前記端末装置は、
取得した対象画像から参照ＩＤを抽出する参照ＩＤ抽出手段と、
前記抽出した参照ＩＤを前記管理サーバ装置に送信して、前記管理サーバ装置から前記説明データを取得する説明データ取得手段と、
をさらに備えており、
前記管理サーバ装置は、
前記参照ＩＤに対応づけて前記インセンティブの説明を記述した説明データを記録した記録部と、
前記端末装置から前記参照ＩＤを受けて、前記記録部を参照し、当該参照ＩＤに対応する前記説明データを前記端末装置に送信する説明データ送信手段と、
をさらに備えたことを特徴とするシステム、装置またはプログラム。
【請求項７】
請求項６のシステム、装置またはプログラムにおいて、
前記確認手段は、前記通知手段から受信した参照ＩＤと、前記説明データ送信手段が説明データ取得手段から受信した参照ＩＤが合致するかどうかによって、確認を行うことを特徴とするシステム、装置またはプログラム。
【請求項８】
請求項１〜７のいすれかのシステム、装置またはプログラムにおいて、
前記透かしデータの埋め込まれた撮像対象は、ディスプレイに表示された動画コンテンツであることを特徴とするシステム、装置またはプログラム。
【請求項９】
請求項８のシステム、装置またはプログラムにおいて、
前記動画コンテンツのフレームごとに前記透かしデータが埋め込まれていることを特徴とするシステム、装置またはプログラム。
【請求項１０】
請求項１〜７のいすれかのシステム、装置またはプログラムにおいて、
前記透かしデータの埋め込まれた撮像対象は、印刷された画像であることを特徴とするシステム、装置またはプログラム。
【発明の詳細な説明】
【技術分野】
【０００１】
この発明は、雑誌やテレビなどの広告や番組などを見た人に対して、ポイントやクーポンなどのインセンティブを提供するシステムに関するものである。
【背景技術】
【０００２】
広告などのコンテンツの視聴者数を増やすために、コンテンツを実際に視聴した人に限定してポイントを付与したり、クーポンを発行したりすることが行われている。
【０００３】
たとえば、特許文献１に示すように、ユーザが配信を要求したことに対して、ポイント付与などのインセンティブを与えるようにしたものがある。しかし、この技術では、ユーザが実際にそのコンテンツを見たかどうかまでは判断することができない。そこで、以下のような方法が提案されている。
【０００４】
テレビ放送などの音声に音声指紋を埋め込んでおき、ユーザが持つ携帯電話などで音声を受信し、音声指紋が検出されたことによりユーザの視聴を確認する。
【０００５】
テレビ放送の画像などにＱＲコード（商標）を表示し、ユーザが持つ携帯電話などでこれを撮像することで、ユーザの視聴を確認する。
【０００６】
テレビ放送の画像を、ユーザが持つ携帯電話などで撮像し、その画像の特徴を認識し、ユーザの視聴を確認する。たとえば、撮像した画像中から商品のロゴマークが検出されれば、その商品の広告を視聴していると判断することができる。
【先行技術文献】
【特許文献】
【０００７】
【特許文献１】特表２００３−５１０６５４
【発明の概要】
【発明が解決しようとする課題】
【０００８】
しかしながら、上記のような従来技術には次のような問題点があった。音声指紋を用いる方法では、周囲が騒がしい環境で用いることが難しく、また、音声のないコンテンツには適用できなかった。
【０００９】
ＱＲコード（商標）を用いた方法では、画像中にＱＲコード（商標）が表示されるため画像の美観を損なうという問題があった。
【００１０】
画像の特徴を認識する方法では、美観を損なうおそれはないが、画像の特徴を性格に特定することは困難であり、その適用には限界があった。
【００１１】
この発明は、上記の問題を解決して、ユーザが実際にコンテンツを見たかどうかを判断してインセンティブを与えることのできるシステムを提供することを目的とする。
【課題を解決するための手段】
【００１２】
(1)(2)(3)(4)(5)この発明に係るインセンティブシステムは、端末装置と管理サーバ装置を備えたインセンティブシステムであって、
前記端末装置は、撮像部によって撮像され、参照ＩＤが電子透かしとして埋め込まれた対象画像を取得する画像取得手段と、前記対象画像を、他人がアクセス可能なように記録するために情報共有サーバ装置に送信する画像送信手段と、前記対象画像を情報共有サーバ装置に送信したことを管理サーバ装置に通知する通知手段とを備えており、
前記管理サーバ装置は、前記通知手段からの通知を受けて、情報共有サーバ装置に記録された前記対象画像を取得して、参照ＩＤを抽出し、確認を行う確認手段と、前記情報共有サーバ装置に対象画像を記録したことの確認が確認手段によって行われると、前記端末装置に関連づけられたユーザに対するインセンティブ付与処理を実行するインセンティブ実行手段とを備えていることを特徴としている。
【００１３】
したがって、ユーザが実際に画像を見て情報共有サーバ装置にアップロードしたことを確認してインセンティブを与えるようにすることができる。
【００１４】
(6)この発明に係るインセンティブシステムは、端末装置が、取得した対象画像から参照ＩＤを抽出する参照ＩＤ抽出手段と、前記抽出した参照ＩＤを前記管理サーバ装置に送信して、前記管理サーバ装置から前記説明データを取得する説明データ取得手段とをさらに備えており、
管理サーバ装置が、前記参照ＩＤに対応づけて前記インセンティブの説明を記述した説明データを記録した記録部と、前記端末装置から前記参照ＩＤを受けて、前記記録部を参照し、当該参照ＩＤに対応する前記説明データを前記端末装置に送信する説明データ送信手段とをさらに備えたことを特徴としている。
【００１５】
したがって、ユーザが情報共有サーバ装置に対象画像をアップロードしたかどうかの確認を確実に行うことができる。
【００１６】
(7)この発明に係るインセンティブシステムは、確認手段が、前記通知手段から受信した参照ＩＤと、前記説明データ送信手段が説明データ取得手段から受信した参照ＩＤが合致するかどうかによって、確認を行うことを特徴としている。
【００１７】
したがって、ユーザが情報共有サーバ装置に対象画像をアップロードしたかどうかの確認を確実に行うことができる。
【００１８】
(8)この発明に係るインセンティブシステムは、透かしデータの埋め込まれた撮像対象が、ディスプレイに表示された動画コンテンツであることを特徴としている。
【００１９】
したがって、ディスプレイに表示された動画コンテンツの視聴を確認することができる。
【００２０】
(9)この発明に係るインセンティブシステムは、動画コンテンツのフレームごとに前記透かしデータが埋め込まれていることを特徴としている。
【００２１】
したがって、動画が表示されている間はどのタイミングにて撮像しても電子透かしの埋め込まれた画像を得ることができる。
【００２２】
(10)この発明に係るインセンティブシステムは、透かしデータの埋め込まれた撮像対象が、印刷された画像であることを特徴としている。
【００２３】
したがって、当該印刷物を見たことを確認することができる。
【００２４】
「画像取得手段」は、実施形態においては、ステップＳ５１がこれに対応する。
【００２５】
「参照ＩＤ抽出手段」は、実施形態においては、ステップＳ５３がこれに対応する。
【００２６】
「説明データ取得手段」は、実施形態においては、ステップＳ５３、Ｓ５４がこれに対応する。
【００２７】
「画像送信手段」は、実施形態においては、ステップＳ５８がこれに対応する。
【００２８】
「通知手段」は、実施形態においては、ステップＳ６０がこれに対応する。
【００２９】
「説明データ送信手段」は、実施形態においては、ステップＳ１０１がこれに対応する。
【００３０】
「確認手段」は、実施形態においては、ステップＳ１０５がこれに対応する。
【００３１】
「インセンティブ実行手段」は、実施形態においては、ステップＳ１０６がこれに対応する。
【００３２】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３３】
【図１】この発明の一実施形態によるインセンティブシステムの全体構成を示す図である。
【図２】映像送信装置１２の構成を示す図である。
【図３】参照ＩＤと映像との関係を示す図である。
【図４】端末装置２のハードウエア構成を示す図である。
【図５】管理サーバ装置４のハードウエア構成を示す図である。
【図６】事業者端末装置８のハードウエア構成を示す図である。
【図７】インセンティブの説明データの登録処理のフローチャートである。
【図８】説明データの例である。
【図９】インセンティブ処理のフローチャートである。
【図１０】インセンティブ装置のフローチャートである。
【図１１】対象画像の例である。
【図１２】説明データの表示例である。
【図１３】他の実施形態によるインセンティブ処理のフローチャートである。
【発明を実施するための形態】
【００３４】
１．全体構成
図１に、この発明の第一の実施形態によるインセンティブシステムの全体構成を示す。テレビなどの画面や雑誌などの画像に電子透かしとして参照ＩＤが埋め込まれている。
【００３５】
このシステムを利用する事業者は、事業者端末装置８によってインセンティブの内容説明をした説明データ４８を管理サーバ装置４に送信する。管理サーバ装置４は、参照ＩＤを発行し、当該参照ＩＤと対応づけて説明データ４８を記録する。さらに、事業者端末装置８は、この参照ＩＤをＴＶ放送装置などの映像送信装置１２に送信する。映像送信装置１２は、コンテンツ画像の各フレームに参照ＩＤを電子透かしとして埋め込み、放送プログラムとして送信する。
【００３６】
図２に、映像送信装置１２の構成を示す。番組内容のプログラムと参照ＩＤが、プログラムデータ生成部１２０に与えられる。プログラムデータ生成部１２０は、プログラムの映像に参照ＩＤを電子透かしとして埋め込む。このようにして生成されたプログラムデータは、プログラム記録部１２０に記録される。
【００３７】
システム情報生成部１２４は、制御データなどを生成する。パケット化部１２６は、プログラムデータと制御データをパケット化する。送信部１２８は、このようにパケット化されたプログラムデータと制御データを送信する。
【００３８】
図３に、参照ＩＤの埋め込まれた番組プログラムの例を示す。この実施形態では、製品Ａの広告と、製品Ｂの広告部分に参照ＩＤが埋め込まれている。製品Ａの広告は、ＡＡＡ番目のフレームからＢＢＢ番目のフレームまでで構成されている。製品Ａの広告には、参照ＩＤ「１２３４５６」が埋め込まれている。この実施形態では、ＡＡＡ番目からＢＢＢ番目の全てのフレームに対して、参照ＩＤを埋め込むようにしている。同様に、製品Ｂの広告である、ＢＢＢ番目の次からＣＣＣ番目までの全てのフレームについて、参照ＩＤ「２３４５６７」が埋め込まれている。
【００３９】
このように、全てのフレームについて参照ＩＤを埋め込んでいるので、どのタイミングで撮像を行っても、参照ＩＤが埋め込まれた画像を得ることができる。
【００４０】
図１に戻って、ユーザが端末装置２の撮像部により、この画面や画像を撮像する。端末装置２の画像取得手段２０は、撮像部によって撮像された画像を対象画像として取り込む。参照ＩＤ抽出手段は、当該対象画像に電子透かしとして埋め込まれている参照ＩＤを抽出する。説明データ取得手段２６は、この参照ＩＤを管理サーバ装置４に送信する。
【００４１】
管理サーバ装置４の記録部４０には、参照ＩＤに対応づけてインセンティブの内容を説明する説明データ４８が記録されている。管理サーバ装置４の説明データ送信手段４２は、端末装置２からの参照ＩＤを受けて、当該参照ＩＤに対応づけて記録されている説明データ４８を返信する。これにより、ユーザは、インセンティブの内容を知ることができる。
【００４２】
端末装置２の画像送信手段２２は、ユーザの操作に応じて、ＳＮＳサーバなどの情報共有サーバ装置６に、撮像した対象画像を送信する。情報共有サーバ装置６は、受信した対象画像６０を、他の人からもアクセス可能なように記録する。このような操作をユーザが行うということは、ユーザが対象画像を実際に見たという証である。加えて、他の人からもアクセスできる状態となるので、対象画像が広告コンテンツであれば、その広告効果の拡散が期待できる。
【００４３】
端末装置２の通知手段２８は、情報共有サーバ装置６に対して対象画像６０を送信したことを、管理サーバ装置４に通知する。管理サーバ装置４の確認手段４４は、通知を受けて、情報共有サーバ装置６から対象画像６０を取得する。さらに、取得した対象画像６０に埋め込まれている電子透かしとしての参照ＩＤを抽出し、説明データ送信手段４２が受信した参照ＩＤと合致するかどうかを確認する。インセンティブ実行手段４６は、上記参照ＩＤが合致すると確認された場合に、端末装置２のユーザに対するポイントの付与などのインセンティブ付与を実行する。
【００４４】
以上のようにして、ユーザが実際に映像を見たことに対応してインセンティブを付与することができる。
【００４５】
２．ハードウエア構成
図４に、端末装置２のハードウエア構成を示す。この実施形態では、端末装置２として、携帯電話装置を用いている。ＣＰＵ３０には、タッチスクリーン３２、カメラ３４、不揮発性メモリ３８、通信回路３６が接続されている。なお、図４においては、通話回路などは省略している。
【００４６】
通信回路３６は、インターネットに接続するためのものである。不揮発性メモリ３８には、アンドロイド（商標）などのオペレーティングシステム３１、端末プログラム３３が記録されている。端末プログラム３３は、ＯＳ３１と協働してその機能を発揮するものである。ＯＳ３１、端末プログラム３３は、記録媒体に記録されていたものを、不揮発性メモリ３８にインストールしたものである。
【００４７】
図５に、管理サーバ装置４のハードウエア構成を示す。ＣＰＵ５０には、メモリ５２、ＣＤ−ＲＯＭドライブ５４、ハードディスク５６、通信回路５８が接続されている。
【００４８】
通信回路５８は、インターネットに接続するためのものである。ハードディスク５６には、WINDOWS（商標）などのオペレーティングシステム５１、管理サーバプログラム５３、対応テーブル５５が記録されている。管理サーバプログラム５３は、ＯＳ５１と協働してその機能を発揮するものである。ＯＳ５１、管理サーバプログラム５３は、ＣＤ−ＲＯＭ５７に記録されていたものを、ＣＤ−ＲＯＭドライブ５４を介して、ハードディスク５６にインストールしたものである。
【００４９】
情報提供サーバ装置６のハードウエア構成も、管理サーバ装置４と同様である。ただし、ハードディスク５６には、管理サーバプログラム５３に代えて、情報提供サーバプログラムが記録される。
【００５０】
図６に、事業者端末装置８のハードウエア構成を示す。ＣＰＵ９０には、メモリ９２、マウス／キーボード９４、ＣＤ−ＲＯＭドライブ９６、ハードディスク９８、通信回路９９が接続されている。基本的な構成は、管理サーバ装置４と同様である。ただし、ハードディスク９８には、事業者端末プログラム９３が記録されている。
【００５１】
３．インセンティブ説明データの登録処理
図７に、インセンティブ説明データを登録する際の事業者端末プログラム９３、管理サーバプログラム５３のフローチャートを示す。
【００５２】
まず、事業者端末装置８のＣＰＵ９０（以下、事業者端末装置８と省略する場合がある）は、インセンティブの説明データ４８を、管理サーバ装置４に送信する（ステップＳ１）。これを受信した管理サーバ装置４のＣＰＵ５０（以下、管理サーバ装置４と省略する場合がある）は、当該説明データに対応する参照ＩＤを生成し、説明データ４８に対応づけて、ハードディスク５６に記録する(ステップＳ１１）。このようにして記録された説明データ４８の例を、図８に示す。
【００５３】
次に、管理サーバ装置４は、事業者端末装置８に対し、参照ＩＤを送信する（ステップＳ１２）。参照ＩＤを受けた情報提供端末装置８は、これを、映像送信装置１２に送信する（ステップＳ２）。これにより、映像送信装置１２は、対応するプログラム（番組内容）の映像に、参照ＩＤを電子透かしとして埋め込んで送信する。
【００５４】
電子透かしの生成方法としては、画像のノイズ部分に人間の目では識別不可能な透かし情報を埋め込む、類似の画像成分が連続する部分に人間の目では識別不可能な透かし情報を埋め込む、量子化ノイズ成分の一部分に人間の目では識別不可能なノイズ成分から構成された透かし情報を埋め込むなどを用いることができる。あるいは、画像の空間周波数の高い領域に、一定のパターンで画像に対する
微量の変更を加えることにより、人間の目では識別が困難な透かし情報を埋め込むといった方法を用いることもできる。画像に対する微量の変更を加える対象としては、画像の輝度情報を用いることができる。
【００５５】
４．インセンティブ処理
図９に、インセンティブ処理の際の端末プログラム３３、管理サーバプログラム５３のフローチャートを示す。
【００５６】
まず、ユーザは、端末装置２のカメラ３４によって、ＴＶ受像装置１０の画面を撮像する（ステップＳ５１）。これにより、放送プログラム（番組内容）の映像が撮像され、対象画像として不揮発性メモリ３８に記録される。図１１に、ＴＶ受像装置１０の画面例を示す。
【００５７】
端末装置２のＣＰＵ３０（以下、端末装置２と省略する場合がある）は、撮像した対象画像に電子透かしが埋め込まれているかどうかを判断する（ステップＳ５２）。埋め込まれていなければ、処理を終了する。
【００５８】
埋め込まれていれば、参照ＩＤを抽出して、管理サーバ装置４に送信する(ステップＳ５３）。ここでは、参照ＩＤとして「１２３４５６」を抽出したものとする。
【００５９】
参照ＩＤを受けた管理サーバ装置４は、対応する説明データをハードディスク５６から読み出す。図８のテーブルを参照して、当該参照ＩＤに対応する説明データを取得する。ここでは、「１２３４５６」に対応する説明データとして、「クーポンＡ」「製品Ａを××％引きで購入できるクーポン」が取得される。さらに、この説明データを、端末装置２に送信する（ステップＳ１０１）。さらに、受信沙汰参照ＩＤをユーザと対応づけて記録する（ステップＳ１０２）。
【００６０】
これを受けた端末装置２は、説明データをタッチスクリーン３２の画面上に表示する（ステップＳ５４）。たとえば、図１２に示すように説明データを表示する。この時、端末装置２は、ユーザにインセンティブを希望するか否かを確認するためのＯＫボタン５００、ＮＧボタン５０２も併せて表示する。
【００６１】
次に、端末装置２は、ＯＫボタン５００、ＮＧボタン５０２のいずれがクリックされたかを判断する（ステップＳ５５）。ＯＫボタン５００が押された場合には、フラグＦを「１」にする（ステップＳ５７）。ＮＧボタンが押された場合には、フラグＦを「０」にする（ステップＳ５６）。ここでは、ユーザがインセンティブを希望し、ＯＫボタン５００を押したものとして説明を進める。
【００６２】
ユーザは、端末装置２を操作して、撮像した対象画像を情報共有サーバ装置６にアップロードする（ステップＳ５８）。情報共有サーバ装置６は、この対象画像を閲覧可能となるように記録する（ステップＳ１５１）。
【００６３】
端末装置２は、フラグＦが「１」であるか否かを判断する（ステップＳ５９）。フラグＦが「０」であれば、ステップＳ６０を実行しない。ここでは、フラグＦは「１」であるから、端末装置２は、対象画像をアップロードした情報共有サーバ装置６のＵＲＬおよび画像ファイル名を、管理サーバ装置４に送信する（ステップＳ６０）。これにより、管理サーバ装置４は、対象画像が情報共有サーバ装置６にアップロードされたことを知る。
【００６４】
管理サーバ装置４は、受信したＵＲＬに基づいて、情報共有サーバ装置６にアクセスし、画像ファイル名を指定して対象画像の送信を要求する（ステップＳ１０３）。情報共有サーバ装置６は、対象画像を管理サーバ装置４に送信する（ステップＳ１５２）。
【００６５】
管理サーバ装置４は、受信した対象画像に電子透かしとして埋め込まれている参照ＩＤを抽出する（ステップＳ１０４）。次に、管理サーバ装置４は、ステップＳ１０２にて記録した参照ＩＤと、ステップＳ１０４にて抽出した参照ＩＤが合致するかどうかを判断する（ステップＳ１０５）。合致しなければ、処理を終了する。合致していれば、管理サーバ装置４は、インセンティブ付与処理を実行する（ステップＳ１０６）。たとえば、端末装置２に対してクーポンデータや特典画像データを送信する。あるいは、当該ユーザに対してポイントを付与する。具体的には、ユーザを特定するユーザＩＤに対応づけてポイントを記録する。
【００６６】
インセンティブ付与処理は、管理サーバ装置４単独で行ってもよいし、クーポン発行やポイント付与を行う他のサーバ装置に対して、指令を与えることによって行ってもよい。
【００６７】
以上のようにして、ユーザが実際に画像を閲覧したことを条件としてインセンティブを与えるようにすることができる。
【００６８】
５．その他の実施形態
(1)上記実施形態では、端末装置２において透かしデータの抽出を行っている。しかし、管理サーバ装置４にてこれを行うようにしてもよい。この場合、端末装置２から管理サーバ装置４に対し、対象画像を送信すればよい。
【００６９】
また、端末装置２において、透かしデータを取得できるかどうかを判断し、透かしデータが取得できるもののみを管理サーバ装置４に送信するようにしてもよい。
【００７０】
(2)上記実施形態では、端末装置２として携帯電話を用いている。しかし、携帯ゲーム装置を用いてもよい。
【００７１】
(3)上記実施形態では、ＴＶ受像装置の画面に表示されたコンテンツを撮像対象としたが、ＰＣ装置のディスプレイに表示されたコンテンツを撮像対象としてもよい。
【００７２】
(4)上記実施形態では、ＴＶ受像装置の画面に表示されたコンテンツを撮像対象としたが、街頭や公共機関などに設置された案内ディスプレイに表示されたコンテンツを撮像対象としてもよい。
【００７３】
(5)上記実施形態では、ステップＳ５２において電子透かしの有無を判断し、ステップＳ５３にて透かしデータを抽出するようにしている。しかし、透かしデータの抽出処理をしなければ、電子透かしの有無を判別できないような場合には、ステップＳ５２とＳ５３は一体的に実行されることになる。
【００７４】
(6)上記実施形態では、端末プログラム３３の側に、予め管理サーバ装置４のＵＲＬを記録するようにしている。これにより、ステップＳ５３において、端末装置２から管理サーバ装置４へのアクセスを可能としている。しかし、このようにせず、電子透かしとして管理サーバ装置４のＵＲＬを埋め込んでおき、これを抽出してアクセスするようにしてもよい。
【００７５】
(7)上記実施形態では、ステップＳ５３において参照ＩＤを抽出し、これを管理サーバ装置４に送信して説明データを取得するようにしている。しかし、このような処理を省略するようにしてもよい。この場合のフローチャートを図１３に示す。
【００７６】
まず、ユーザは、端末装置２のカメラ３４によって、ＴＶ受像装置１０の画面を撮像する（ステップＳ５１）。これにより、放送プログラム（番組内容）の映像が撮像され、対象画像として不揮発性メモリ３８に記録される。
【００７７】
ユーザは、端末装置２を操作して、撮像した対象画像を情報共有サーバ装置６にアップロードする（ステップＳ５８）。情報共有サーバ装置６は、この対象画像を閲覧可能となるように記録する（ステップＳ１５１）。端末装置２は、対象画像をアップロードした情報共有サーバ装置６のＵＲＬおよび画像ファイル名を、管理サーバ装置４に送信する（ステップＳ６０）。これにより、管理サーバ装置４は、対象画像が情報共有サーバ装置６にアップロードされたことを知る。
【００７８】
管理サーバ装置４は、受信したＵＲＬに基づいて、情報共有サーバ装置６にアクセスし、画像ファイル名を指定して対象画像の送信を要求する（ステップＳ１０３）。情報共有サーバ装置６は、対象画像を管理サーバ装置４に送信する（ステップＳ１５２）。
【００７９】
管理サーバ装置４は、受信した対象画像に電子透かしとして埋め込まれている参照ＩＤを抽出する（ステップＳ１０４）。抽出できた場合には、インセンティブ付与処理を実行する（ステップＳ１０６）。抽出できない場合には、インセンティブ付与処理を実行しない。
【００８０】
なお、参照ＩＤが抽出できたかどうかだけでなく、抽出できた参照ＩＤが規則に従って生成された正当なものであることを確認できた場合のみ、インセンティブ付与処理を行うようにしてもよい。
【００８１】
(8)なお、以下の実施形態におけるその他の実施形態は、その本質に反しない限り、本実施形態においても適用することができる。
【図１】
2015069492.tif 000003
【図２】
2015069492.tif 000004
【図３】
2015069492.tif 000005
【図４】
2015069492.tif 000006
【図５】
2015069492.tif 000007
【図６】
2015069492.tif 000008
【図７】
2015069492.tif 000009
【図８】
2015069492.tif 000010
【図９】
2015069492.tif 000011
【図１０】
2015069492.tif 000012
【図１１】
2015069492.tif 000013
【図１２】
2015069492.tif 000014
【図１３】
2015069492.tif 000015